(57)【要約】【課題】加熱調理器の状態が如何なる場合でも、外部に漏れる電波のエネルギーを小さくできる加熱調理器を提供する。【解決手段】電子レンジのドアの外枠６の加熱室側に位置する内枠７に、電波が外部に漏洩することを抑制するくし歯２７を形成する。内枠７のくし歯２７のドア−オーブン隙間付近に電波吸収体５０を配置する。【選択図】図６
2013213638.tif 000002
【特許請求の範囲】
【請求項１】
開口を有する加熱室と、
上記加熱室の開口を開閉するドアと、
上記加熱室内に電波を放射する電波放射部と、
上記加熱室から外部に電波が漏洩することを一次的に抑制する電波漏洩抑制部と、
上記電波漏洩抑制部を通過した電波を吸収する電波吸収体と
を備えることを特徴とする加熱調理器。
【請求項２】
請求項１に記載の加熱調理器において、
上記電波吸収体の温度を検知する温度センサと、
上記温度センサからの信号を受けて、上記電波吸収体の温度が予め定められた温度以上であると判断した場合に、電波放射部の駆動を停止する電波放射制御部と
を備えることを特徴とする加熱調理器。
【請求項３】
請求項１または２に記載の加熱調理器において、
上記ドアは、窓部を有する外枠の上記加熱室側に位置すると共に、電波が外部に漏洩することを抑制するくし歯を有する金属製の内枠を有し、
上記電波吸収体は、上記くし歯の近傍に配置されていることを特徴とする加熱調理器。
【発明の詳細な説明】
【技術分野】
【０００１】
本発明は、加熱調理器に関する。
【背景技術】
【０００２】
従来、加熱調理器としては、特開２０００−３３７０２６号公報（特許文献１）に記載の電子レンジがある。この電子レンジのドアは、外側ガラスが嵌め込まれた外側ドア枠と、内側ガラスが嵌め込まれた金属製の内側枠と、ドアパネル押さえ枠とを備える。上記内側枠が、ドアパネル押さえ枠と、外側ドア枠との間に挟み込まれている状態で、ドアパネル押さえ枠が、外側ドア枠に嵌め込み固定され、外側ドア枠、内側枠およびドアパネル押さえ枠が、一体化されている。
【０００３】
上記内側枠は、内側ガラスに重なる位置に、パンチング穴を有するパンチングメタルを有する一方、加熱室側の外周に、互いに間隔をおいた状態で複数のくし歯を有している。上記パンチングメタルと、くし歯とは、電波が外部に漏れることを抑制する役割を担っている。
【０００４】
この電子レンジは、パンチングメタルと、くし歯とが存在しているから、ドアと、電子レンジの本体との隙間が想定内の如何なる大きさになっても、外部に漏れる電波を規格内に収めることができる。
【０００５】
したがって、この電子レンジでは、経時変化、衝撃、熱変形等によって電子レンジの状態が大きく変化した場合でも、外部に漏れる電波のエネルギーは、規格の範囲内におさめることができて、安全である。
【先行技術文献】
【特許文献】
【０００６】
【特許文献１】特開２０００−３３７０２６号公報
【発明の概要】
【発明が解決しようとする課題】
【０００７】
ところで、上記従来の電子レンジでは、外部に漏れる電波が規格内に入っているが、規格の範囲内で相対的に大きくなる場合がある。
【０００８】
そこで、本発明の課題は、加熱調理器の状態が如何なる場合でも、外部に漏れる電波のエネルギーを小さくできる加熱調理器を提供することにある。
【課題を解決するための手段】
【０００９】
上記課題を解決するため、この発明の加熱調理器は、
開口を有する加熱室と、
上記加熱室の開口を開閉するドアと、
上記加熱室内に電波を放射する電波放射部と、
上記加熱室から外部に電波が漏洩することを一次的に抑制する電波漏洩抑制部と、
上記電波漏洩抑制部を通過した電波を吸収する電波吸収体と
を備えることを特徴としている。
【００１０】
本発明によれば、電波漏洩抑制部を通過した電波を吸収する電波吸収体（電磁波吸収体）を備えるから、従来、外部に漏洩していた電波のうちの幾らかを電波吸収体で吸収できる。したがって、加熱調理器の状態が如何なる状態であっても、外部に漏れる電波のエネルギーをより小さくできて、より確実に安全を確保することができる。
【００１１】
また、一実施形態では、
上記電波吸収体の温度を検知する温度センサと、
上記温度センサからの信号を受けて、上記電波吸収体の温度が予め定められた温度以上であると判断した場合に、電波放射部の駆動を停止する電波放射制御部と
を備える。
【００１２】
上記実施形態によれば、電波吸収体の温度が予め定められた温度以上である場合に、電波放射部の駆動が停止されるから、いわば電波漏れの可視化を実現でき、従来と比べて格段に優れた安全性を実現できる。
【００１３】
また、一実施形態では、
上記ドアは、窓部を有する外枠の上記加熱室側に位置すると共に、電波が外部に漏洩することを抑制するくし歯を有する金属製の内枠を有し、
上記電波吸収体は、上記くし歯の近傍に配置されている。
【００１４】
上記実施形態によれば、電波吸収体が、電波の漏洩が起こり易い箇所に配置されるくし歯の近傍に存在するから、電波吸収体で効率的に漏洩電波を吸収できる。
【発明の効果】
【００１５】
本発明によれば、加熱調理器の状態が如何なる場合でも、外部に漏れる電波のエネルギーを小さくできる加熱調理器を実現できる。
【図面の簡単な説明】
【００１６】
【図１】本発明の加熱調理器の一実施形態である電子レンジを、前面側から見たときの模式斜視図である。
【図２】電子レンジのドアの分解斜視図である。
【図３】上記ドアのドアパネル組物の断面図である。
【図４】上記ドアからドアパネル押さえ枠のみを取り外したものを、加熱調理器の加熱室側から見たときの斜視図である。
【図５】ドアパネル押さえ枠の内枠側を示す斜視図である。
【図６】ドアの厚さ方向の断面の一部を示す図である。
【発明を実施するための形態】
【００１７】
以下、本発明を図示の形態により詳細に説明する。
【００１８】
図１は、本発明の加熱調理器の一実施形態である電子レンジを、前面側から見たときの模式斜視図である。
【００１９】
図１に示すように、この電子レンジは、略直方体形状の周壁面を有する筐体１１と、ドア２０とを有し、筐体１１の内部には、加熱室２２が形成されている。また、上記筐体１１の内部には、図示しない制御部等が収容されている。上記筐体１１の正面には、開口が形成され、その開口は、加熱室２２の内部と筐体１１の外部とを連通している。上記開口はドア２０によって開閉されるようになっている。上記ドア２０には、窓２１が形成され、この窓２１を通じて、使用者が加熱室２２の内部を視認できるようになっている。
【００２０】
上記筐体１１の正面の右側には、操作部２５が形成され、操作部２５は、出力調整部と、タイマ部と、開始停止ボタンとを有している。上記出力調整部は、加熱調理をするためのマグネトロンの出力を調整するために設けられている。上記タイマ部は、加熱調理の時間を設定するために使用されている。また、上記開始停止ボタンは、加熱調理の開始、停止をする際に、使用されるようになっている。
【００２１】
この電子レンジは、図示しない電波放射部の一例としての高周波加熱装置を備え、その高周波加熱装置は、変圧器と、マグネトロンとを有している。上記変圧器は、電源側から印加された電圧を、それよりも高い電圧に変換して、その出力側の高電圧を、上記マグネトロンに印加するようになっている。この高周波加熱装置は、高電圧が印加された上記マグネトロンで発生した高周波（電波）であるマイクロ波を、加熱室２２の方へ放射して、加熱室２２内の被加熱物を加熱するようになっている。
【００２２】
図２は、上記ドア２０の分解斜視図である。
図２に示すように、上記ドア２０は、強化ガラス製の外側ガラス５と、金属製や樹脂製の外枠６と、金属製の内枠７と、強化ガラス製の内側ガラス８と、樹脂製のドアパネル押さえ枠１０とを備え、外側ガラス５は、外枠６に嵌め込まれる一方、内側ガラス８は、内枠７に嵌め込まれている。内枠７および内側ガラス８は、ドアパネル組物９を構成している。また、上記ドアパネル押さえ枠１０は、ドアパネル組物９を外枠６に固定する役割を担っている。
【００２３】
図３は、ドアパネル組物９の断面図である。
【００２４】
図３に示すように、ドアパネル組物９は、内側ガラス８に重なる位置に、パンチング穴を有するパンチングメタル２８を有する一方、加熱室２２側の外周に、複数のくし歯２７を有している。また、上記ドアパネル組物９の内枠７は、第１窓平行部３１と、厚さ方向延在部３２と、第２窓平行部３３とを有し、第１窓平行部３１および第２窓平行部３３は、内側ガラス８に略平行に延在している。
【００２５】
図３に示すように、上記第１窓平行部３１は、内枠７の中央部に連なっており、厚さ方向延在部３２は、第１窓平行部３１の外周側の端部から第１窓平行部３１の法線方向に延在している。また、第２窓平行部３３は、厚さ方向延在部３２の第１窓平行部３１側とは反対側の端部から内側に延在している。上記各くし歯２７は、第２窓平行部３３の内周側の端部から径方向の内側かつ厚さ方向の外側ガラス５側に傾斜している。
【００２６】
図３に示すように、上記ドアパネル組物９の内枠７は、くし歯２７よりも加熱室側に位置する平面部４３を有し、この平面部４３は、内側ガラス８に平行に延在している。この平面部４３は、ドア２０を筐体１１に組み付けた状態で、加熱室２２に面するようになっている。上記平面部４３は、電波が外部に漏れることを一次的に防止する役割を果たし、電波漏洩抑制部を構成している。また、パンチングメタル２８および各くし歯２７は、平面部４３を通過した電波が外部に漏れることを抑制する役割を担っている。
【００２７】
図３に示すように、この加熱調理器は、電波吸収体（Radar absorbent material、RAM）５０を有し、その電波吸収体５０は、第２窓平行部３３の加熱室２２側の表面上に存在している。このように、上記電波吸収体５０は、内枠７のくし歯２７のドア−オーブン隙間付近に配置されている。上記電波吸収体５０は、導電性電波吸収材料、誘電性電波吸収材料または磁性電波吸収材料からなっている。上記電波吸収体５０は、各第２窓平行部３３の加熱室２２側の表面に塗布により配置されている。
【００２８】
上記電波吸収体の材料としては、導電性繊維の織物や、カーボン粉などをゴム、発砲ウレタン、発砲ポリスチロールなどの誘電体に混合してなる材料や、鉄、ニッケル、フェライトを使用して、磁性材料の磁気損失によって電波を吸収する材料等で構成されることができる。また、上記電波吸収体の材料としては、カーボンマイクロコイル（CMC）を使用することができ、ポリウレタンのような支持基材中に添加量を添加した材料等も、好適に使用されることができる。また、EMファイバーと呼ばれる、ガラス繊維や合繊繊維中に吸収する波長の2倍の長さのステンレス繊維を分散させた電波吸収材も使用できる。
【００２９】
図４は、上記ドア２０からドアパネル押さえ枠１０のみを取り外したものを、加熱調理器の加熱室２２側から見たときの斜視図である。
【００３０】
図４に示すように、上記複数のくし歯２７、複数の第２窓平行部３３および複数の電波吸収体５０の夫々は、互いに間隔をおいて、内枠７の外周に沿うように配置されている。また、上記各くし歯２７、各第２窓平行部３３および各電波吸収体５０は、ドア２０の長手方向または幅方向に延在し、各くし歯２７は、ドア２０の内側を向いている。図４に示すように、電波漏洩抑制部を構成する平面部４３は、環状構造になっており、窓部を取り囲むように存在している。
【００３１】
図５は、ドアパネル押さえ枠１０の内枠７側を示す斜視図である。
【００３２】
図５に示すように、ドアパネル押さえ枠１０は、略矩形の枠部材である。上記ドアパネル押さえ枠１０の内枠７側の面は、第１係止部７０と、第２係止部７１とを有し、第１係止部７０は、ドアパネル押さえ枠１０の外側の縁からドア２０の軸方向に突出している一方、第２係止部７１は、ドアパネル押さえ枠１０の内側の縁からドア２０の軸方向に突出している。上記第１係止部７０は、環状の外側の縁に沿って存在している一方、第２係止部７１は、環状の内側の縁に沿って存在している。
【００３３】
再度、図４を参照して、環状の第１係止部７０を、外枠６の内面８９に係止し、環状の第２係止部７１を、内枠７の平面部４３につながる軸方向に延在する側面部８０に係止することにより、外枠６、内枠７およびドアパネル押さえ枠１０を一体化している。上記各くし歯２７は、ドア２０が形成された状態で、ドアパネル押さえ枠１０に覆われて、外部から視認できないようになっている。
【００３４】
図６は、ドア２０の厚さ方向の断面の一部を示す図である。尚、図６においては、理解を容易にするために、電波吸収体５０と、サーミスター７５とは、誇張されて描かれている。
【００３５】
この加熱調理器は、温度センサとしての複数のサーミスター７５と、電波放射制御部としての図示しないマイクロコンピュータ（以下、マイコンという）とを備える。上記サーミスター７５は、一部の電波吸収体５０の第２窓平行部３３側とは反対側に位置する一方、上記マイコンは、筐体１１に搭載されている。サーミスター７５からの電波吸収体５０の温度を表す信号は、配線７７を介して、筐体１１側にあるマイコンに出力されるようになっている。また、上記マイコンは、サーミスター７５からの信号を受けて、電波吸収体５０の温度が予め定められた温度以上であると判断した場合に、マグネトロンへの電力の供給を遮断する制御を行うようになっている。上記複数のサーミスター７５は、内枠７の周方向に略均等に一部の電波吸収体５０上に設けられている。
【００３６】
上記実施形態の加熱調理器によれば、電波漏洩抑制部である内枠７の平面部４３を通過した電波を吸収する電波吸収体５０を備えるから、従来、外部に漏洩していた電波のうちの幾らかを電波吸収体５０で吸収できる。したがって、加熱調理器の状態が如何なる状態であっても、外部に漏れる電波のエネルギーを小さくできて、より確実に安全を確保することができる。
【００３７】
また、上記実施形態の加熱調理器によれば、電波吸収体５０の温度が予め定められた温度以上である場合に、マグネトロンの駆動が停止されるから、いわば電波漏れの可視化を実現でき、従来と比べて格段に優れた安全性を実現できる。
【００３８】
また、上記実施形態の加熱調理器によれば、電波吸収体５０が、電波の漏洩が起こり易い箇所に配置されるくし歯２７の近傍に存在するから、電波吸収体５０で効率的に漏洩電波を吸収できる。
【００３９】
尚、上記実施形態の加熱調理器では、電波吸収体５０は、内枠７に塗布されたが、この発明では、電波吸収体は、例えば、ゴムシート状のフェライトやカーボン等からなっていて、内枠に貼り付けられる構成であっても良い。
【００４０】
また、上記実施形態の加熱調理器では、温度センサとしてサーミスター７５を使用したが、この発明では、温度センサとして熱電対を使用しても良く、熱電対の二つの金属部分の接合部を、電波吸収体に接触させる構成であっても良い。
【００４１】
また、上記実施形態の加熱調理器では、電波吸収体５０を、内枠７の第２窓平行部３３の加熱室２２側に配置したが、この発明では、電波吸収体を、図６に参照番号８６で示すドアパネル押さえ枠の第２窓平行部に対向する表面に形成しても良い。また、この発明では、電波吸収体は、図６に８８で示す第１係止部７０の内側の面に配置されても良い。このように、この発明では、電波吸収体は、電波漏洩抑制部を通過した電波を捕捉できる箇所であれば、如何なる箇所に設けられても良い。
【００４２】
また、上記実施形態の加熱調理器では、電波吸収体５０を、各第２窓平行部３３上に配置したが、この発明では、電波吸収体は、全ての内枠の第２窓平行部上に配置されなくても良く、電波漏れが起こりやすい位置に存在する内枠の第２窓平行部のみに配置されることができる。
【００４３】
また、上記実施形態の加熱調理器では、サーミスター７５が複数箇所に設けられたが、この発明では、サーミスターは、電波が最も漏れやすい一箇所のみに設けられても良く、また、この発明では、温度センサが設けられなくても良い。また、この発明では、複数の温度センサをドアの窓を囲んだ外周部に、略等間隔に配置しても良く、電波が漏洩し易い箇所に重点的に非等間隔に配置しても良い。
【００４４】
尚、上記実施形態では、加熱調理器が、電子レンジであったが、この発明では、加熱調理器は、蒸気調理器等、電子レンジ以外でマグネトロンを使用する加熱調理器であっても良い。この発明では、加熱調理器は、電波で食材を加熱する加熱調理器であれば、如何なる加熱調理器であっても良い。
【符号の説明】
【００４５】
６  外枠
７  内枠
２０  ドア
２２  加熱室
２７  くし歯
４３  内枠の平面部
５０  電波吸収体
７５  サーミスター
【図１】
2013213638.tif 000003
【図２】
2013213638.tif 000004
【図３】
2013213638.tif 000005
【図４】
2013213638.tif 000006
【図５】
2013213638.tif 000007
【図６】
2013213638.tif 000008